(57)【特許請求の範囲】
【請求項１】
キャリヤ液にトナー粒子を分散させた現像液を用いてトナー現像を行う湿式の現像装置を備えた湿式画像形成装置において、
前記現像液を貯蔵または回収する貯蔵槽と、
前記現像液を前記貯蔵槽から前記現像装置、及び前記現像装置から前記貯蔵槽に導くための現像剤流路と、
前記現像剤流路内の圧力を、前記現像装置側と前記貯蔵槽側とで異ならせるための圧力変更手段と、
前記現像剤流路の前記現像装置側に配置された経路変更手段と、を有し、
画像形成動作の休止時に、
前記経路変更手段により、前記現像剤流路の前記現像装置との間の経路を切断して、前記圧力変更手段と接続し、
前記圧力変更手段により、前記現像剤流路の前記現像装置側の圧力をより高くすることで、前記現像剤流路内の現像液を前記貯蔵槽側に回収する
ことを特徴とする湿式画像形成装置。
【請求項２】
前記現像剤流路内の現像液を前記貯蔵槽側に回収した後、前記経路変更手段により、前記現像剤流路の前記圧力変更手段との間の経路を切断して、前記現像装置との間の経路を再度接続する
ことを特徴とする請求項１に記載の湿式画像形成装置。
【請求項３】
前記経路変更手段により前記現像剤流路の前記圧力変更手段との間の経路を切断して、前記現像装置との間の経路を再度接続した後、前記経路変更手段により再度、前記現像剤流路の前記現像装置との間の経路を切断して、前記圧力変更手段と接続し、
前記圧力変更手段により、再度前記現像剤流路の前記現像装置側の圧力をより高くすることで、前記現像剤流路内の現像液を前記貯蔵槽側に回収する
ことを特徴とする請求項２に記載の湿式画像形成装置。
【請求項４】
前記圧力変更手段は、空気を圧縮して高圧を発生させる空気圧縮ポンプである
ことを特徴とする請求項１から３のいずれかに記載の湿式画像形成装置。
【請求項５】
前記経路変更手段は、切換弁である
ことを特徴とする請求項１から４のいずれかに記載の湿式画像形成装置。
【発明の詳細な説明】
【技術分野】
【０００１】
本発明は、キャリヤ液にトナー粒子を分散させた現像液を用いてトナー現像を行う湿式画像形成装置に関するものであり、特に、該現像液を貯蔵槽から現像装置に供給及び回収するための現像剤流路を有する湿式画像形成装置に関する。
【背景技術】
【０００２】
従来、像担持体表面の静電潜像を、トナー粒子を含む乾式あるいは湿式の現像剤で現像し、現像により形成されたトナー像を記録媒体に転写して最終画像を得る画像形成装置が知られている。
【０００３】
特に湿式の現像装置を用いた湿式の画像形成装置は、乾式の画像形成装置では実現できない利点を有しており、近年その価値が見直されつつある。例えば、サブミクロンサイズの極めて微細なトナーを用いることができるため高画質を実現でき印刷並みの質感を得られる。特に、近年は画像形成装置の高速化に伴って、高粘度のキャリヤ液に、トナー粒子を高濃度に分散させた湿式現像剤が使用される傾向にある。
【０００４】
流動パラフィンやシリコンオイルなどの絶縁性溶媒（キャリヤ液）中に樹脂及び顔料からなる固形分としてのトナーを高濃度に分散させることで構成される、高粘度で高濃度の湿式現像剤（以降、単に現像剤または現像液ともいう）を用いる画像形成装置が提案されるようになってきた。
【０００５】
この湿式現像剤を用いて現像する際には、現像ローラ等の現像剤担持体上に現像剤のミクロン単位の薄層を形成し、この薄層化された現像剤を感光体に接触させて現像する、湿式の現像装置が一般的に用いられる。
【０００６】
現像ローラ等に現像剤層を形成する方法は様々に提案されているが、一般的には現像剤槽から直接現像液を供給ローラ等で汲み上げ、規制部材で一定量に規制し、現像ローラに塗布する。あるいは現像剤量をさらに精度よく規制するために、現像液貯蔵槽（供給用）から現像剤流路を経て定量の現像液を供給ローラに送出する装置構成も採られている。
【０００７】
現像液が、回転する供給ローラに一定の流量で供給され、流れ落とされた余分の現像液は、別の現像剤流路を通って現像液貯蔵槽（回収用）に回収される装置構成である。すなわち現像液は、現像装置を経由して、そこで現像のために消費しながら、現像剤流路を循環するようになっている。
【０００８】
しかしながら、こういった現像剤流路を循環するような構成においては、画像形成終了後に長期間動作停止していると、現像剤流路内に残った現像液はそのままの状態で長期間放置されることになってしまう。現像液が現像剤流路内に長期間滞留すると、現像液中のトナーが現像剤流路内壁に付着することが生じてくる。
【０００９】
また、現像ローラ、感光体、転写ローラ上で転写されずに各部材上に残った現像液を、クリーニング部材で取り除き、同様の現像剤流路を通って貯蔵槽（回収タンク）に回収する装置構成においても、上記と同様のことがいえる。すなわち、画像形成終了後に現像剤流路内に現像液が残った状態で長期間放置すると、トナーが現像剤流路内壁に付着する。
【００１０】
現像剤流路内に現像液が滞留して、トナーが現像剤流路内壁に付着すると、次に画像形成が行われる時に、現像装置に供給する現像液の流量が低下し、良好な画像出力を得られなくなってしまう。
【００１１】
また、回収側の現像液流量が低下した場合には、現像剤流路に流れ込むはずの回収すべき現像液があふれて、装置内を汚染してしまうことが発生する。
【００１２】
こういった現像剤流路内でのトナー付着を抑制するために、いくつかの技術が提案されている（例えば、特許文献１、２及び３参照）。
【００１３】
特許文献１には、現像の動作が停止している間も、間欠的に、もしくは連続的に現像剤流路内の液体現像剤を循環させ続けることで、現像剤流路内壁へのトナー付着を防止する技術が提案されている。
【００１４】
しかしながらこの方法は、短時間の停止であればよいが、長期間の停止になるとその間動力をかけ続けることになり、装置の負担からも経済的ではなく、省エネルギーの観点からも好ましくない。
【００１５】
特許文献２には、超音波振動子を用いて現像剤流路内の現像液に振動を与えトナーの凝集を抑制する、あるいは再分散を促進することによって、現像剤流路内壁へトナー付着しにくくする技術が提案されている。
【００１６】
しかしながらこの方法も、長期間の装置停止であっても超音波振動子は作動しなければならず、また長い現像剤流路の全長に渡って振動を与えるべきことを考慮すると、現実的な対処法であるとはいえない。
【００１７】
特許文献３には、現像の動作が長期間停止している間、現像剤流路にアイソパー、すなわちトナーを含まないキャリヤ液のみを入れ、現像液と置換することで、現像剤流路内壁へのトナー付着を防止する技術が提案されている。
【００１８】
しかしながらこの方法も、使い方によってはキャリヤ液にもトナーが混入し、トナー付着が発生する恐れがある。専用のキャリヤ液を大量に用意する、あるいは使用期間に応じて取り替えるなどの管理が必要となり、これも経済的ではない。
【先行技術文献】
【特許文献】
【００１９】
【特許文献１】特開平０８−１３７２８４号公報
【特許文献２】特開２０００−２２１７８７号公報
【特許文献３】特開２０００−３３０３８５号公報
【発明の概要】
【発明が解決しようとする課題】
【００２０】
上述したように、現像装置への現像液供給、回収のための現像剤流路を有する湿式画像形成装置においては、画像形成動作の休止期間中に現像剤流路内壁にトナー付着が生じ、次の画像形成動作に悪影響を与えたりすることがあった。
【００２１】
休止期間中のトナー付着を防止するためにいくつかの技術が提案されているが、休止期間中も動力を要したり、コストのかかる装置の設置の必要があったり、キャリヤ液の用意と管理が必要であったり、経済的でなく、十分な効果を得られるものでもなかった。
【００２２】
本発明の目的は、現像装置への現像液供給、回収のための現像剤流路を有する湿式画像形成装置において、画像形成動作の休止期間中には動作を必要とせず、コストを要する装置の追加や処理プロセスの追加も最小にとどめ、経済的で簡易に、休止期間中の現像剤流路内壁へのトナー付着を防止することができる湿式画像形成装置を提供することである。
【課題を解決するための手段】
【００２３】
上記の課題を解決するため、本発明は以下の特徴を有するものである。
１．  キャリヤ液にトナー粒子を分散させた現像液を用いてトナー現像を行う湿式の現像装置を備えた湿式画像形成装置において、上記現像液を貯蔵または回収する貯蔵槽と、上記現像液を上記貯蔵槽から上記現像装置、及び上記現像装置から上記貯蔵槽に導くための現像剤流路と、上記現像剤流路内の圧力を、上記現像装置側と上記貯蔵槽側とで異ならせるための圧力変更手段と、上記現像剤流路の上記現像装置側に配置された経路変更手段と、を有し、画像形成動作の休止時に、上記経路変更手段により、上記現像剤流路の上記現像装置との間の経路を切断して、上記圧力変更手段と接続し、上記圧力変更手段により、上記現像剤流路の上記現像装置側の圧力をより高くすることで、上記現像剤流路内の現像液を上記貯蔵槽側に回収することを特徴とする湿式画像形成装置。
【００２４】
２．  上記現像剤流路内の現像液を上記貯蔵槽側に回収した後、上記経路変更手段により、上記現像剤流路の上記圧力変更手段との間の経路を切断して、上記現像装置との間の経路を再度接続することを特徴とする１に記載の湿式画像形成装置。
【００２５】
３．  上記経路変更手段により上記現像剤流路の上記圧力変更手段との間の経路を切断して、上記現像装置との間の経路を再度接続した後、上記経路変更手段により再度、上記現像剤流路の上記現像装置との間の経路を切断して、上記圧力変更手段と接続し、上記圧力変更手段により、再度上記現像剤流路の上記現像装置側の圧力をより高くすることで、上記現像剤流路内の現像液を上記貯蔵槽側に回収することを特徴とする２に記載の湿式画像形成装置。
【００２６】
４．  上記圧力変更手段は、空気を圧縮して高圧を発生させる空気圧縮ポンプである
ことを特徴とする１から３のいずれかに記載の湿式画像形成装置。
【００２７】
５．  上記経路変更手段は、切換弁であることを特徴とする１から４のいずれかに記載の湿式画像形成装置。
【発明の効果】
【００２８】
本発明によれば、現像装置への現像液供給、回収のための現像剤流路を有する湿式画像形成装置において、画像形成動作の休止時、装置が長期間放置される前に、現像剤流路内の現像液を貯蔵槽側に回収し、現像剤流路を空にする。
【００２９】
これにより、休止期間中の動作を必要とせず、コストを要する装置の追加や処理プロセスの追加も最小にとどめ、経済的で簡易に、休止期間中の現像剤流路内壁へのトナー付着を防止することができる湿式画像形成装置を提供することができる。
【図面の簡単な説明】
【００３０】
【図１】第１の実施形態に係る湿式画像形成装置の概略構成例を示す構成図である。
【図２】図１の湿式画像形成装置の制御系統の構成例を示すブロック図である。
【図３】図１の湿式画像形成装置における現像液の流れを制御する手順を示すフローチャートである。
【図４】（ａ）画像形成開始の工程、（ｂ）画像形成の工程の各手順を示すフローチャートである。
【図５】（ａ）画像形成終了の工程、（ｂ）休止判定の工程の各手順を示すフローチャートである。
【図６】第２の実施形態に係る湿式画像形成装置の概略構成例を示す構成図である。
【図７】図６の湿式画像形成装置の制御系統の構成例を示すブロック図である。
【図８】図６の湿式画像形成装置における現像液の流れを制御する手順を示すフローチャートである。
【図９】第３の実施形態に係る湿式画像形成装置の概略構成例を示す構成図である。
【図１０】図９の湿式画像形成装置の制御系統の構成例を示すブロック図である。
【図１１】図９の湿式画像形成装置における現像液の流れを制御する手順を示すフローチャートである。
【図１２】第４の実施形態に係る湿式画像形成装置の概略構成例を示す構成図である。
【図１３】図１２の湿式画像形成装置の制御系統の構成例を示すブロック図である。
【図１４】図１２の湿式画像形成装置における現像液の流れを制御する手順を示すフローチャートである。
【発明を実施するための形態】
【００３１】
以下、本発明の実施形態を、図面を参照しながら説明する。
（第１の実施形態）
図１は、本発明の第１の実施形態に係る湿式画像形成装置の概略構成例を示す構成図である。図１を参照して第１の実施形態に係る湿式画像形成装置の主要構成について説明する。
【００３２】
＜画像形成に関わる構成＞
まず画像形成に関わる主要構成要素とその機能の概略を説明する。
【００３３】
１は感光体であり、感光体１の回転方向に沿って周囲に、帯電装置９、露光装置８、現像装置５（以後、現像器ともいう）、中間転写体１０、感光体クリーニングブレード１５が配置されている。
【００３４】
感光体１の表面は、帯電装置９によって均一に帯電され、露光装置８により選択的に露光されることで、静電潜像が形成される。潜像は現像器５によって現像され、トナー像となる。トナー像は中間転写体１０に転写され、残余のトナーは感光体クリーニングブレード１５によって除去される。その後、画像形成のプロセスが繰り返される。
【００３５】
中間転写体１０の周囲には、転写ローラ１１が配置され、その間を記録媒体１３が挟持され、搬送される。また中間転写体１０には、転写残の現像液をクリーニングする中間転写体クリーニングブレード１６も配置されている。
【００３６】
感光体１から中間転写体１０に転写されたトナー像は、転写ローラ１１との印加電界により、その間に挟持された記録媒体１３に再度転写される。
【００３７】
１２は定着装置であり、中間転写体１０から記録媒体１３に転写されたトナー像を定着し、出力画像を形成する。
【００３８】
上記は画像形成機能の概略構成であり、様々な変形があり得る。中間転写体１０を経ずに、感光体１から直接記録媒体１３にトナー像転写する形態でもよい。またカラーの画像形成の場合は、複数のカラートナーに対応した複数の現像装置５と感光体１が中間転写体１０の周囲に配置される形態でもよい。
【００３９】
＜現像液の供給と回収に関わる構成＞
本実施形態の湿式画像形成装置における現像液の流れの概略について、同じく図１を参照して説明する。
【００４０】
１９は現像液供給用の貯蔵槽であり、所定のトナー濃度に調整された現像液２９を貯蔵する。現像液２９は、絶縁性の溶媒であるキャリヤ液中に、分散剤によりトナーが分散されている。
【００４１】
現像液２９は、予めトナー濃度調整されたボトル等から貯蔵槽１９に供給される。あるいは、図示していないトナー濃度調整槽で、キャリヤ液と高トナー濃度のコンク現像液をそれぞれ加えてトナー濃度を調整し、現像液供給用の貯蔵槽１９に供給される。
【００４２】
１８は現像供給ポンプであり、供給用の現像剤流路１７に配置され、画像形成時に貯蔵槽１９から現像液２９を、現像剤流路１７を経由して現像器５に供給する。また現像供給ポンプ１８は、逆回転駆動が可能であり、画像形成動作の休止時に現像剤流路１７内の現像液２９を、貯蔵槽１９側に回収するように駆動させることができる。
【００４３】
現像器５は、現像ローラ２、ならしローラ３、供給ローラ４を構成要素として含む。供給ローラ４は、上記のように供給された現像液２９を、規制ブレード６で所定量に規制し、接触回転しているならしローラ３に送る。ならしローラ３は、現像液２９を均一な薄層として形成し、同じく接触回転している現像ローラ２に送る。
【００４４】
現像ローラ２上の現像液２９の薄層は、帯電チャージャ７により所定の荷電量を与えられ、感光体１上に形成された潜像をトナー現像する。
【００４５】
２１は現像回収ポンプであり、回収用の現像剤流路２０に配置され、現像器５で、上述のように所定の現像液量になるよう規制され、余剰となった現像液２９を、一旦現像器５から現像剤流路２０を経由して、現像液回収用の貯蔵槽２２に回収する。
【００４６】
現像液回収用の貯蔵槽２２に回収された現像液２９は、例えば上述したトナー濃度調整槽に送られ、トナー濃度を調整した後、現像液供給用の貯蔵槽１９に貯蔵される。
【００４７】
２４はクリーニング回収ポンプであり、クリーニング回収用の現像剤流路２３に配置され、現像後に現像ローラ２上に残った現像液２９が、現像ローラクリーニングブレード１４により取り除かれた後、その現像液２９を、現像剤流路２３を経由して、クリーニング回収用の貯蔵槽２５に回収する。
【００４８】
またクリーニング回収ポンプ２４は、感光体１上に転写残として残った現像液２９が、感光体クリーニングブレード１５により取り除かれた後、上記同様にその現像液２９を、現像剤流路２３を経由して、クリーニング回収用の貯蔵槽２５に回収する。
【００４９】
クリーニング回収用の貯蔵槽２５に回収された現像液２９もまた、上述のトナー濃度調整槽に送られ、トナー濃度を調整した後、現像液供給用の貯蔵槽１９に貯蔵されるようにしてもよい。
【００５０】
２７は廃液回収ポンプであり、廃液回収用の現像剤流路２６に配置され、中間転写体１０上に転写残として残った現像液２９が、中間転写体クリーニングブレード１６により取り除かれた後、その現像液２９を、現像剤流路２６を経由して、廃液回収用の貯蔵槽２８に回収する。
【００５１】
本実施形態では、上記各ポンプが圧力変更手段として機能する。
＜現像液の流れの制御＞
図２は、図１の湿式画像形成装置の制御系統の構成例を示すブロック図である。次に図２を参照して、第１の実施形態に係る湿式画像形成装置における現像液の供給と回収の流れを制御する機構を説明する。
【００５２】
制御部３０は、ＣＰＵを含むプロセッサからなり、以下に述べる各制御ブロックの機能を統括して制御する。操作者からの各種信号を入力する操作部３４と、必要に応じてメッセージを表示する表示部３５も接続されている。
【００５３】
また出力画像データや湿式画像形成装置の各種設定値を記憶するメモリー部３１と、既述した画像形成のプロセスを制御する画像形成部３２にも接続されている。
【００５４】
３６は現像器駆動部であり、現像液２９の均一で所定の薄層を形成するため、現像器５内の現像ローラ２、ならしローラ３、供給ローラ４を回転させる。
【００５５】
３７は感光体駆動部であり、感光体１を駆動させる。３８は中間転写体駆動部であり、中間転写体１０を駆動させる。
【００５６】
３９は定着器駆動部であり、定着器１２を駆動させる。４２は加熱電源部であり、定着器１２の定着ローラを加熱するヒータに電力を供給する。
【００５７】
駆動電源部４１は、上記の現像器駆動部３６・感光体駆動部３７・中間転写体駆動部３８・定着器駆動部３９に電力を供給する。
【００５８】
電源部４０は、画像形成部３２、感光体１から中間転写体１０へ現像液２９を一次転写させるための電界を発生させるバイアス、中間転写体１０から記録媒体１３へ現像液２９を転写させるための電界を発生させるバイアスなど、湿式画像形成装置の主な電源を供給する。
【００５９】
現像供給ポンプ１８、現像回収ポンプ２１、クリーニング回収ポンプ２４、及び廃液回収ポンプ２７は、それぞれ現像液２９を供給あるいは回収するために各現像剤流路を循環させるポンプであり、それぞれの流れの詳細は既に述べたとおりである。
【００６０】
現像液送排出電源部３３は、上記の各ポンプを駆動するための電源である。
本実施形態における現像液の流れの制御の主要点としては、画像形成を終了して、装置として休止状態に入るときに、上記の現像液の供給と回収のために現像液を循環させていた各現像剤流路から、現像液を回収して、現像剤流路を空にすることである。
【００６１】
本実施形態においては、上記現像剤流路からの現像液回収を、概略以下のように制御している。
【００６２】
画像形成の工程が終了し、湿式画像形成装置が休止状態に入る信号を受けると、画像形成時には供給用の貯蔵槽１９から現像器５へ現像液２９を送っていた現像供給ポンプ１８を、所定時間逆回転させる。すなわち現像液供給用の現像剤流路１７内に現像液２９がなくなるまでの間逆回転させ、現像剤流路１７の貯蔵槽１９側を負圧にすることで、供給用の貯蔵槽１９に現像剤流路１７内の現像液２９を回収させるように制御する。
【００６３】
現像液回収用の現像剤流路２０、クリーニング回収用の現像剤流路２３及び廃液回収用の現像剤流路２６は、もともと現像器５及び各クリーニング部材から各貯蔵槽に各ポンプを使い現像液２９を戻していたため、休止状態に入るときも各ポンプを各現像剤流路内に現像液２９がなくなるまで所定時間駆動させるよう制御する。
【００６４】
全てのポンプが所定時間駆動し、各現像剤流路を空にした後、電源をＯＦＦにし、湿式画像形成装置を停止させる。
【００６５】
なお、各ポンプは、駆動部の回転方向により送液方向を換えることができ、しごきローラを、現像剤流路を変形させない位置にするなど現像剤流路内に障害物がない設定が可能なチューブポンプを使用することが望ましい。
【００６６】
また、現像供給ポンプ１８の他に供給用の貯蔵槽１９側を負圧にするため別の負圧ポンプを追加して、現像液供給用の現像剤流路１７内に現像液２９がなくなるまでの所定時間の間駆動させ、貯蔵槽１９に現像液２９を回収してもよい。
【００６７】
＜現像液の供給と回収のフロー＞
図３は、本実施形態に係る湿式画像形成装置における現像液の流れを制御する手順を示すフローチャートである。図３を用いて、本実施形態に係る湿式画像形成装置における画像形成とその休止状態に入るときの現像液の流れを制御する手順を説明する。また適時、図１、図２も参照する。
【００６８】
＜装置駆動開始＞
図３において、まず湿式画像形成装置の電源部４０に電源を投入する（ステップＳ１１）。
【００６９】
続いて、画像形成装置の休止中に空になっていた現像液供給用の現像剤流路１７に現像液を満たすため、現像液送排出電源部３３をＯＮにし（ステップＳ１３）、現像供給ポンプ１８を所定の時間駆動させる（ステップＳ１４及びステップＳ１５）。
【００７０】
現像器５に現像液２９が供給できる状態にして現像供給ポンプ１８を一旦停止する（ステップＳ１６）。
【００７１】
続いて、画像形成開始の工程（ステップＳ２０）、画像形成の工程（ステップＳ３０）、画像形成終了の工程（ステップＳ４０）、そして休止判定の工程（ステップＳ５０）を実行する。
【００７２】
休止判定がＮＯであれば、画像形成開始の工程に戻り、次の画像形成に備える。休止判定がＹＥＳであれば、引き続いて各現像剤流路の現像液を回収して空にする手順に入る（ステップＳ７０以降）。
【００７３】
図４（ａ）、（ｂ）そして図５（ａ）、（ｂ）は、それぞれ画像形成開始の工程（ステップＳ２０）、画像形成の工程（ステップＳ３０）、画像形成終了の工程（ステップＳ４０）、そして休止判定の工程（ステップＳ５０）の各手順を示すフローチャートである。
【００７４】
＜画像形成開始の工程＞
まず図４（ａ）を参照して画像形成開始の工程（ステップＳ２０）の手順を説明する。
【００７５】
画像出力信号入力（ステップＳ２１）により、画像形成して出力する画像データをメモリー部３１に転送しておく（ステップＳ２２）。
【００７６】
画像形成のための各部を駆動するため、駆動電源部４１をＯＮにする（ステップＳ２３）。
【００７７】
記録媒体１３にトナー像を定着させるため、予め加熱電源部４２をＯＮにし（ステップＳ２４）、定着器１２を所定の温度まで加熱する（ステップＳ２５）。
【００７８】
所定の温度まで達した時点で、現像器５に現像液２９を供給するため、現像供給ポンプ１８を駆動する（ステップＳ２６）。
【００７９】
現像液２９が現像器５に供給された後、現像器駆動部３６を駆動させ（ステップＳ２７）、現像ローラ２上に現像液２９の薄層を形成する。
【００８０】
薄層形成で余剰となった現像液２９を、回収用の貯蔵槽２２に回収するため現像回収ポンプ２１を駆動する（ステップＳ２８）。
【００８１】
感光体１及び中間転写体１０を駆動させる（ステップＳ２９及びステップＳ３１）。
画像形成部３２を作動させて（ステップＳ３２）、感光体１上に出力する画像データの潜像を形成し、現像ローラ２上の現像液２９の薄層により現像を行う。さらに現像によるトナー像の中間転写体１０への一次転写、記録媒体１３への二次転写を行う。
【００８２】
現像及び一次転写にて残った現像液２９を、それぞれ現像ローラクリーニングブレード１４及び感光体クリーニングブレード１５で現像ローラ２上及び感光体１上から取り除き、取り除いた現像液２９をクリーニング回収用の貯蔵槽２５へ回収するためクリーニング回収ポンプ２４を駆動する（ステップＳ３３）。
【００８３】
記録媒体１３に二次転写されずに中間転写体１０上に残ったトナー像（現像液２９）を中間転写体クリーニングブレード１６で中間転写体１０上から取り除き、取り除いた現像液２９を廃液用の貯蔵槽２８へ回収するため廃液回収ポンプ２７を駆動する（ステップＳ３４）。
【００８４】
定着器１２を駆動させ（ステップＳ３５）、記録媒体１３に二次転写されたトナー像を、加熱及び加圧にて記録媒体１３に定着させ出力画像を形成する。
【００８５】
＜画像形成の工程＞
次に図４（ｂ）を参照して画像形成の工程（ステップＳ３０）の手順を説明する。
【００８６】
要求された出力枚数になるまで、画像形成部３２を作動させ出力画像を形成する（ステップＳ３６及びステップＳ３７）。
【００８７】
所定の枚数の画像出力が得られると、画像出力終了信号を出す（ステップＳ３８）。
＜画像形成終了の工程＞
次に図５（ａ）を参照して画像形成終了の工程（ステップＳ４０）の手順を説明する。
【００８８】
画像出力終了信号を受けて、加熱電源部４２をＯＦＦにし（ステップＳ４１）、定着器駆動部３９を停止させる（ステップＳ４２）。画像形成部３２を停止させる（ステップＳ４３）。
【００８９】
感光体駆動部３７・中間転写体駆動部３８を停止させる（ステップＳ４４及びステップＳ４５）。現像器駆動部３６を停止させる（ステップＳ４６）。
【００９０】
駆動電源部４１を停止させる（ステップＳ４７）。
現像供給ポンプ１８の駆動を停止させる（ステップＳ４８）。現像回収ポンプ２１の駆動を停止させる（ステップＳ４９）。
【００９１】
クリーニング回収ポンプ２４の駆動を停止させる（ステップＳ５１）。廃液回収ポンプ２７の駆動を停止させる（ステップＳ５２）。
【００９２】
＜休止判定の工程＞
次に図５（ｂ）を参照して休止判定の工程（ステップＳ５０）の手順を説明する。
【００９３】
表示部３５に画像出力終了のメッセージを表示する（ステップＳ５３）。
長期の装置休止を示す終了信号の入力を判定する（ステップＳ５４）、終了信号は、例えば操作者が、操作部３４より入力するようにしてもよい。
【００９４】
終了信号入力がない場合（ステップＳ５４；ＮＯ）は、画像形成開始の工程に戻る。すなわち、画像出力信号待ちのメッセージを表示し、画像信号が入力されれば、出力信号入力された状態（ステップＳ２１）から、画像形成開始の工程の動作を開始する。
【００９５】
終了信号が入力された場合（ステップＳ５４；ＹＥＳ）は、表示部３５に確認のメッセージを表示し（ステップＳ５５）、継続信号を待つ（ステップＳ５６）。
【００９６】
継続信号が入力された場合（ステップＳ５６；ＹＥＳ）は、画像形成を継続するものとして、画像形成開始の工程に戻る。
【００９７】
継続信号が入力されない場合（ステップＳ５６；ＮＯ）は、所定時間待機する（ステップＳ）。すなわち、所定の時間経過するまで（ステップＳ５７；ＮＯ）は、表示部３５に確認のメッセージを表示し（ステップＳ５５）、継続信号が入力されるのを待ち（ステップＳ５６）、所定の時間経過後（ステップＳ５７；ＹＥＳ）に、タイムアウトとして、休止状態に入ると判定し、以下の現像剤流路から現像液を回収する工程に進む。
【００９８】
＜現像剤流路から現像液を回収する工程＞
図３に戻り、装置が休止状態に入るに際しての、現像剤流路から現像液を回収する工程の手順を説明する。
【００９９】
現像供給ポンプ１８を逆駆動する（ステップＳ７０）。これにより、現像液供給用の現像剤流路１７の現像器５側より供給用の貯蔵槽１９側を低圧力にして、現像剤流路１７内の現像液２９を貯蔵槽１９側に回収する。
【０１００】
現像回収ポンプ２１を駆動する（ステップＳ７１）。これにより、現像液回収用の現像剤流路２０の現像器５側より回収用の貯蔵槽２２側を低圧力にして、現像剤流路２０内の現像液２９を貯蔵槽２２側に回収する。
【０１０１】
クリーニング回収ポンプ２４を駆動する（ステップＳ７２）。これにより、クリーニング回収用の現像剤流路２３の現像器５側及び感光体１側よりクリーニング回収用の貯蔵槽２５側を低圧力にして、現像剤流路２３内の現像液２９を貯蔵槽２５側に回収する。
【０１０２】
廃液回収ポンプ２７を駆動する（ステップＳ７３）。これにより、廃液回収用の現像剤流路２６の中間転写体１０側より廃液回収用の貯蔵槽２８側を低圧力にして、現像剤流路２６内の現像液２９を貯蔵槽２８側に回収する。
【０１０３】
上記の各ポンプを、各現像剤流路内に現像剤２９がない状態にするまでの所定時間作動させる（ステップＳ７４；ＮＯ）。
【０１０４】
所定時間経過後（ステップＳ７４；ＹＥＳ）に、各ポンプを停止する。すなわち、現像剤供給ポンプ１８の逆駆動を停止する（ステップＳ７５）。現像回収ポンプ２１の駆動を停止する（ステップＳ７６）。クリーニング回収ポンプ２４の駆動を停止する（ステップ７７Ｓ）。廃液回収ポンプ２７の駆動を停止する（ステップＳ７８）。
【０１０５】
現像液送排出電源部３３をＯＦＦにする（ステップＳ８２）。最後に電源部４０をＯＦＦにして終了となる（ステップＳ８３）。すなわち、次に画像形成動作の要求が入るまで、装置は休止状態に入る。
【０１０６】
（第２の実施形態）
図６は、本発明の第２の実施形態に係る湿式画像形成装置の概略構成例を示す構成図である。図６を参照して第２の実施形態に係る湿式画像形成装置の主要構成について説明する。
【０１０７】
画像形成に関わる主要構成要素とその機能の概略は図１の第１の実施形態の場合と同様であり、説明は省略する。
【０１０８】
＜現像液の供給と回収に関する構成＞
第２の実施形態の湿式画像形成装置における現像液の流れの概略についても、第１の実施形態の場合とほぼ同様であり、同じく図６を参照して図１と異なる部分のみ説明する。  
【０１０９】
１８は現像供給ポンプであり、供給用の現像剤流路１７に配置され、画像形成時に貯蔵槽１９から現像液２９を、現像剤流路１７を経由して現像器５に供給する。
【０１１０】
しかし現像供給ポンプ１８は、必ずしも第１の実施形態の場合のように逆回転駆動が可能である必要はない。停止している状態で、現像剤流路１７内を現像液２９が流動可能であればよい。
【０１１１】
現像液供給用の現像剤流路１７の現像器５側には切換弁４３が配置され、現像剤流路１７の現像器５側を加圧タンク４４側へと切り換えられるようになっている。加圧タンク４４の切換弁４３の反対側は、逆止弁４５を介して加圧タンク５８と繋がっている。
【０１１２】
加圧タンク５８は空気圧縮ポンプ５９により圧縮空気が送り込まれ、加圧状態になっている。すなわち、逆止弁４５を介して加圧タンク４４に圧縮空気が一方向的に流れ込んでいる。加圧タンク４４内の圧縮空気は切換弁４３を切り換えることで現像剤流路１７に流れ込み、現像剤流路１７内の現像液２９を貯蔵槽１９側へと押し戻す。
【０１１３】
現像液回収用の現像剤流路２０の現像器５側にも切換弁４６が配置され、現像剤流路２０の現像器５側を加圧タンク４７側へと切り換えられるようになっている。加圧タンク４７の切換弁４６の反対側は、逆止弁４８を介してやはり加圧タンク５８と繋がっている。
【０１１４】
すなわち、同様に逆止弁４８を介して加圧タンク４７に圧縮空気が一方向的に流れ込んでいる。加圧タンク４７内の圧縮空気は切換弁４６を切り換えることで現像剤流路２０に流れ込み、現像剤流路２０内の現像液２９を貯蔵槽２２側へと押し出す。
【０１１５】
クリーニング回収用の現像剤流路２３についても同様であり、現像器５側に切換弁４９、加圧タンク５０、逆止弁５１が配置され、感光体１側には切換弁５２、加圧タンク５３、逆止弁５４が配置されている。
【０１１６】
同様に切換弁４９及び切換弁５２を切り換えることで、加圧タンク５０及び加圧タンク５３内の圧縮空気が現像剤流路２３内の現像液２９を貯蔵槽２５側へと押し出す。
【０１１７】
廃液回収用の現像剤流路２６についても同様に、中間転写体１０側に切換弁５５、加圧タンク５６、逆止弁５７が配置されている。
【０１１８】
同様に切換弁５５を切り換えることで、加圧タンク５６内の圧縮空気が現像剤流路２６内の現像液２９を貯蔵槽２８側へと押し出す。
【０１１９】
本実施形態では、上記の空気圧縮ポンプと各加圧タンクが圧力変更手段として、また各切換弁が経路変更手段として機能する。
【０１２０】
＜現像液の流れの制御＞
図７は、図６の第２の実施形態に係る湿式画像形成装置の制御系統の構成例を示すブロック図である。第２の実施形態に係る湿式画像形成装置における現像液の供給と回収の流れも、第１の実施形態の場合とほぼ同様であり、異なる部分についてのみ説明する。
【０１２１】
５９は空気圧縮ポンプであり、各加圧タンクや切換弁等を介して各現像剤流路に送るための圧縮空気を発生させる。
【０１２２】
６０は切換弁制御部であり、空気圧縮ポンプ５９による圧縮空気を各現像剤流路に導くための各切換弁を制御する。
【０１２３】
本実施形態における現像液の流れの制御の主要点としては、第１の実施形態の場合と同様に、画像形成を終了して、装置として休止状態に入るときに、上記の現像液の供給と回収のために現像液を循環させていた各現像剤流路から、現像液を回収して、現像剤流路を空にすることである。
【０１２４】
本実施形態においては、上記現像剤流路からの現像液回収を、概略以下のように制御している。
【０１２５】
画像形成の工程が終了し、湿式画像形成装置が休止状態に入る信号を受けると、画像形成時には供給用の貯蔵槽１９から現像器５へ現像液２９を送っていた現像供給ポンプ１８を停止し、ポンプ内を現像液２９が流れるように制御する。
【０１２６】
現像液供給用の現像剤流路１７の現像器５側端部に設けられた切換弁４３を、現像器５側端部を止め、加圧タンク４４側に接続するよう制御し、加圧タンク４４内の圧縮空気の圧力により、現像剤流路１７内の現像液２９を供給用の貯蔵槽１９に押し戻す。
【０１２７】
現像液回収用の現像剤流路２０、クリーニング回収用の現像剤流路２３、廃液回収用の現像剤流路２６も同様にして、回収用の貯蔵槽２２、クリーニング回収用の貯蔵槽２５、廃液回収用の貯蔵槽２８に現像液２９を押し出すようそれぞれの切換弁を制御する。
【０１２８】
上記の各切換弁操作による現像液の押し出しを所定回数行い、各現像剤流路を空にした後、電源をＯＦＦにし、湿式画像形成装置を停止させる。
【０１２９】
なお、各ポンプは、しごきローラを、現像剤流路を変形させない位置にするなど現像剤流路内に障害物がない設定が可能なチューブポンプを使用することが望ましい。
【０１３０】
＜現像液の供給と回収のフロー＞
図８は、本実施形態に係る湿式画像形成装置における現像液の流れを制御する手順を示すフローチャートである。図８を用いて、第２の実施形態に係る湿式画像形成装置における画像形成とその休止状態に入るときの現像液の流れを制御する手順を説明する。また適時、図６、図７も参照する。
【０１３１】
＜装置駆動開始＞
装置駆動開始のステップＳ１１からステップＳ１６までは、図３の第１の実施形態の場合と同様であり、説明は省略する。
【０１３２】
続いて、画像形成開始の工程（ステップＳ２０）、画像形成の工程（ステップＳ３０）、画像形成終了の工程（ステップＳ４０）、そして休止判定の工程（ステップＳ５０）を実行するのも第１の実施形態の場合と同様である。
【０１３３】
またその各工程の詳細手順も、図４（ａ）、（ｂ）そして図５（ａ）、（ｂ）を参照して説明した第１の実施形態の場合と同様であり、説明は繰り返さない。
【０１３４】
装置が休止状態に入るときの、現像剤流路から現像液を回収する工程へと進む。
＜現像剤流路から現像液を回収する工程＞
図８を参照し、装置が休止状態に入るに際しての、現像剤流路から現像液を回収する工程の手順を説明する。但し、図３の第１の実施形態と同様のステップは説明を略す。
【０１３５】
空気圧縮ポンプ５９を駆動する（ステップＳ６１）。これにより、圧縮空気を各加圧タンク内の圧力が所定の圧力になるまで（ステップＳ６２；ＮＯ）圧縮空気を送る。全加圧タンクが所定の圧力になった時点（ステップＳ６２；ＹＥＳ）で、空気圧縮ポンプ５９を停止する（ステップＳ６３）。
【０１３６】
切換弁４３を加圧タンク４４側に切り換えて、加圧タンク４４内の圧縮空気を現像液供給用の現像剤流路１７に流す（ステップＳ６４）。これにより、現像液供給用の現像剤流路１７の現像器５側より供給用の貯蔵槽１９側を低圧力にして、現像剤流路１７内の現像液２９を貯蔵槽１９に回収する。
【０１３７】
切換弁４６を加圧タンク４７側に切り換えて、加圧タンク４７内の圧縮空気を現像液回収用の現像剤流路２０に流す（ステップＳ６４）。これにより、現像液回収用の現像剤流路２０の現像器５側より回収用の貯蔵槽２２側を低圧力にして、現像剤流路２０内の現像液２９を貯蔵槽２２に回収する。
【０１３８】
切換弁４９及び切換弁５２を加圧タンク５０側及び加圧タンク５３側に同時に切り換えて、加圧タンク５０及び加圧タンク５３内の圧縮空気をクリーニング回収用の現像剤流路２３に流す（ステップＳ６４）。これにより、現像剤流路２３の現像器５側及び感光体１側よりクリーニング回収用の貯蔵槽２５側を低圧力にして、現像剤流路２３内の現像液２９を貯蔵槽２５に回収する。
【０１３９】
切換弁５５を加圧タンク５６側に切り換えて、加圧タンク５６内の圧縮空気を廃液回収用の現像剤流路２６に流す（ステップＳ６４）。これにより、現像剤流路２６の中間転写体１０側より廃液回収用の貯蔵槽２８側を低圧力にして、現像剤流路２６内の現像液２９を貯蔵槽２８に回収する。
【０１４０】
上記の各切換弁操作を行った状態で、各現像剤流路内の圧力バランスがとれるまで、所定時間待機する（ステップＳ６５；ＮＯ）。
【０１４１】
所定時間経過後（ステップＳ６５；ＹＥＳ）に、各切換弁を元の状態に復帰させる（ステップＳ６６）。
【０１４２】
各現像剤流路に圧縮空気を流し、各現像剤流路内の現像液２９を回収する上記工程（ステップＳ６１からステップＳ６６）は複数回行うことが望ましい。上記工程を所定回数に達するまで繰り返す（ステップＳ６７；ＮＯ）。
【０１４３】
所定回数到達後（ステップＳ６７；ＹＥＳ）に、現像液送排出電源部３３をＯＦＦにする（ステップＳ８２）。最後に電源部４０をＯＦＦにして終了となる（ステップＳ８３）。すなわち、次に画像形成動作の要求が入るまで、装置は休止状態に入る。
【０１４４】
（第３の実施形態）
図９は、本発明の第３の実施形態に係る湿式画像形成装置の概略構成例を示す構成図である。図９を参照して第３の実施形態に係る湿式画像形成装置の主要構成について説明する。
【０１４５】
画像形成に関わる主要構成要素とその機能の概略は図１の第１の実施形態の場合と同様であり、説明は省略する。
【０１４６】
＜現像液の供給と回収に関する構成＞
第３の実施形態の湿式画像形成装置における現像液の流れの概略についても、第１の実施形態の場合とほぼ同様であり、同じく図９を参照して図１と異なる部分のみ説明する。  
【０１４７】
現像供給ポンプ１８は、第２の実施形態の場合と同様に、必ずしも逆回転駆動が可能である必要はない。停止している状態で、現像剤流路１７内を現像液２９が流動可能であればよい。
【０１４８】
現像液供給用の現像剤流路１７の現像器５側には切換弁６２が配置され、現像剤流路１７の現像器５側をバイパス流路６１側へと切り換えられるようになっている。バイパス流路６１の切換弁６２の反対側は、次に述べる切換弁６３と繋がっている。
【０１４９】
上記の切換弁６３は、現像液回収用の現像剤流路２０の現像器５側に配置され、現像剤流路２０の現像器５側を上記のバイパス流路６１側へと切り換えられるようになっている。バイパス流路６１の切換弁６３の反対側は、上記の切換弁６２と繋がっている。
【０１５０】
すなわち、切換弁６２と切換弁６３とを同時にバイパス流路６１側へと切り換えることで、現像液２９の流れる経路を以下のように切り換えられる。貯蔵槽１９から現像剤流路１７を経て現像器５へ、そして現像器５から現像剤流路２０を経て貯蔵槽２２へと循環していた経路を、現像器５を経由せず、現像剤流路１７からバイパス流路６１、そして現像剤流路２０へと至る経路へと換える。
【０１５１】
また現像液供給用の現像剤流路１７の供給用の貯蔵槽１９側には、切換弁６４が配置され、上記切換弁の切換と合わせて現像剤流路１７の貯蔵槽１９側を開放するよう切り換えられる。ここから空気が流入することで現像剤流路１７内の現像液２９がバイパス流路６１を経由して貯蔵槽２２側へと流入していく。
【０１５２】
本実施形態では、上記の各切換弁が経路変更手段として機能する。
＜現像液の流れの制御＞
図１０は、図９の第３の実施形態に係る湿式画像形成装置の制御系統の構成例を示すブロック図である。第３の実施形態に係る湿式画像形成装置における現像液の供給と回収の流れも、第１の実施形態の場合とほぼ同様であり、異なる部分は次の点のみである。
【０１５３】
６０は切換弁制御部であり、各現像剤流路による現像器５への現像液供給と回収の流れを、現像器５を経由せず、バイパス流路６１を経由するよう切り換えるための各切換弁を制御する。
【０１５４】
本実施形態における現像液の流れの制御の主要点としては、第１の実施形態の場合と同様に、画像形成を終了して、装置として休止状態に入るときに、上記の現像液の供給と回収のために現像液を循環させていた各現像剤流路から、現像液を回収して、現像剤流路を空にすることである。
【０１５５】
本実施形態においては、上記現像剤流路からの現像液回収を、概略以下のように制御している。
【０１５６】
画像形成の工程が終了し、湿式画像形成装置が休止状態に入る信号を受けると、画像形成時には供給用の貯蔵槽１９から現像器５へ現像液２９を送っていた現像供給ポンプ１８を停止し、ポンプ内を現像液２９が流れるように制御する。
【０１５７】
切換弁６２、切換弁６３を作動させ、現像液供給用の現像剤流路１７と現像液回収用の現像剤流路２０を、バイパス流路６１を介して接続し、さらに切換弁６４を作動させ、現像剤流路１７の供給用の貯蔵槽１９側を開放するよう制御する。
【０１５８】
現像回収ポンプ２１を駆動して現像剤流路１７と現像剤流路２０及びバイパス流路６１内の現像液２９を回収用の貯蔵槽２２に回収するよう制御する。
【０１５９】
クリーニング回収用の現像剤流路２３及び廃液回収用の現像剤流路２６は、もともと現像器５及び各クリーニング部材から各貯蔵槽に各ポンプを使い現像液２９を戻していたため、休止状態に入るときも各ポンプを各現像剤流路内に現像液２９がなくなるまで所定時間駆動させるよう制御する。
【０１６０】
全てのポンプが所定時間駆動し、バイパス流路６１を含む各現像剤流路を空にした後、切換弁６２、切換弁６３を作動させ、現像剤流路１７と現像剤流路２０をバイパス流路６１から切断し、元の流路に復帰させるよう制御する。切換弁６４を作動させ、現像剤流路１７を貯蔵槽１９と接続した後、電源をＯＦＦにし、湿式画像形成装置を停止させる。
【０１６１】
なお、各ポンプは、しごきローラを、現像剤流路を変形させない位置にするなど現像剤流路内に障害物がない設定が可能なチューブポンプを使用することが望ましい。
【０１６２】
＜現像液の供給と回収のフロー＞
図１１は、本実施形態に係る湿式画像形成装置における現像液の流れを制御する手順を示すフローチャートである。図１１を用いて、第３の実施形態に係る湿式画像形成装置における画像形成とその休止状態に入るときの現像液の流れを制御する手順を説明する。また適時、図９、図１０も参照する。
【０１６３】
＜装置駆動開始＞
装置駆動開始のステップＳ１１からステップＳ１６までは、図３の第１の実施形態の場合と同様であり、説明は省略する。
【０１６４】
続いて、画像形成開始の工程（ステップＳ２０）、画像形成の工程（ステップＳ３０）、画像形成終了の工程（ステップＳ４０）、そして休止判定の工程（ステップＳ５０）を実行するのも第１の実施形態の場合と同様である。
【０１６５】
またその各工程の詳細手順も、図４（ａ）、（ｂ）そして図５（ａ）、（ｂ）を参照して説明した第１の実施形態の場合と同様であり、説明は繰り返さない。
【０１６６】
装置が休止状態に入るときの、現像剤流路から現像液を回収する工程へと進む。
＜現像剤流路から現像液を回収する工程＞
図１１を参照し、装置が休止状態に入るに際しての、現像剤流路から現像液を回収する工程の手順を説明する。但し、図３の第１の実施形態と同様のステップは説明を略す。
【０１６７】
切換弁６２と切換弁６３を作動させ、現像液供給用の現像剤流路１７と現像液回収用の現像剤流路２０を、バイパス流路６１を介して接続する（ステップＳ６８）。切換弁６４を作動させて、現像剤流路１７の供給用の貯蔵槽１９側を開放させる（ステップＳ６９）。
【０１６８】
現像回収ポンプ２１を駆動する（ステップＳ７１）。これにより、バイパス流路６１を介して接続された現像剤流路１７と現像剤流路２０内において、回収用の貯蔵槽２２側を低圧力にして、接続された現像剤流路１７・現像剤流路２０内の現像液２９を貯蔵槽２２側に回収する。
【０１６９】
クリーニング回収ポンプ２４を駆動する（ステップＳ７２）。廃液回収ポンプ２７を駆動する（ステップＳ７３）。これらは第１の実施形態の場合と同様である。
【０１７０】
各ポンプを、バイパス流路６１を含む各現像剤流路内に現像液２９がない状態にするまでの所定時間作動させる（ステップＳ７４；ＮＯ）。
【０１７１】
所定時間経過後（ステップＳ７４；ＹＥＳ）に、各ポンプを停止する。すなわち、現像回収ポンプ２１の駆動を停止する（ステップＳ７６）。クリーニング回収ポンプ２４の駆動を停止する（ステップＳ７７）。廃液回収ポンプ２７の駆動を停止する（ステップＳ７８）。
【０１７２】
切換弁６２、切換弁６３を作動させ、現像液供給用の現像剤流路１７と現像液回収用の現像剤流路２０をバイパス流路６１から切断する（ステップＳ７９）。切換弁６４を作動させ、現像剤流路１７を供給用の貯蔵槽１９と接続する（ステップＳ８０）。
【０１７３】
現像液送排出電源部３３をＯＦＦにする（ステップＳ８２）。最後に電源部４０をＯＦＦにして終了となる（ステップＳ８３）。すなわち、次に画像形成動作の要求が入るまで、装置は休止状態に入る。
【０１７４】
（第４の実施形態）
図１２は、本発明の第４の実施形態に係る湿式画像形成装置の概略構成例を示す構成図である。図１２を参照して第４の実施形態に係る湿式画像形成装置の主要構成について説明する。
【０１７５】
画像形成に関わる主要構成要素とその機能の概略は図１の第１の実施形態の場合と同様であり、説明は省略する。
【０１７６】
＜現像液の供給と回収に関する構成＞
第４の実施形態の湿式画像形成装置における現像液の流れの概略についても、第１の実施形態の場合とほぼ同様であり、同じく図１２を参照して図１と異なる部分のみ説明する。
【０１７７】
現像供給ポンプ１８は、第２、第３の実施形態の場合と同様に、必ずしも逆回転駆動が可能である必要はない。停止している状態で、現像剤流路１７内を現像液２９が流動可能であればよい。
【０１７８】
現像液供給用の現像剤流路１７において、現像器５側、貯蔵槽１９側の両側より流路が低くなっているＵ字形状の底の部分にはバルブ６５が配置され、現像剤流路１７を開放し、中の現像液２９を流出できるようになっている。バルブ６５の下方には、回収槽６６が設けられている。
【０１７９】
現像液回収用の現像剤流路２０においても同様に、現像器５側、貯蔵槽２２側の両側より流路が低くなっているＵ字形状の底の部分にバルブ６７が配置され、現像剤流路２０を開放し、中の現像液２９を流出できるようになっている。バルブ６７の下方には、回収槽６８が設けられている。
【０１８０】
クリーニング回収用の現像剤流路２３についても同様に、２箇所のＵ字形状の底の部分にバルブ６９とバルブ７１が配置され、それぞれの下方に回収槽７０、回収槽７２が設けられている。
【０１８１】
廃液回収用の現像剤流路２６についても同様である。中間転写体１０側、貯蔵槽２８側の両側より流路が低くなっているＵ字形状の底の部分にバルブ７３が配置され、その下方には、回収槽７４が設けられている。
【０１８２】
各バルブを開放することにより、各現像剤流路内の現像液２９が重力により流出するような位置に各バルブは配置され、流出した現像液２９は下方の各回収槽に回収される。
【０１８３】
各回収槽はそれぞれの貯蔵槽と連結していてもよいし、またはそれぞれの貯蔵槽が回収槽を兼ねていてもよい。
【０１８４】
本実施形態では、上記の各バルブが経路変更手段として機能する。
＜現像液の流れの制御＞
図１３は、図１２の第４の実施形態に係る湿式画像形成装置の制御系統の構成例を示すブロック図である。第４の実施形態に係る湿式画像形成装置における現像液の供給と回収の流れも、第１の実施形態の場合とほぼ同様であり、異なる部分についてのみ説明する。
【０１８５】
７５はバルブ制御部であり、各現像剤流路において配置された各バルブを開放し、内部の現像液２９を重力によって流出させるために各バルブを制御する。
【０１８６】
本実施形態における現像液の流れの制御の主要点としては、第１の実施形態の場合と同様に、画像形成を終了して、装置として休止状態に入るときに、上記の現像液の供給と回収のために現像液を循環させていた各現像剤流路から、現像液を回収して、現像剤流路を空にすることである。
【０１８７】
本実施形態においては、上記現像剤流路からの現像液回収を、概略以下のように制御している。
【０１８８】
画像形成の工程が終了し、湿式画像形成装置が休止状態に入る信号を受けると、画像形成時には供給用の貯蔵槽１９から現像器５へ現像液２９を送っていた現像供給ポンプ１８を停止し、ポンプ内を現像液２９が流れるようにする。
【０１８９】
バルブ６５を開放させるよう制御し、現像液供給用の現像剤流路１７内に重力によって溜まる現像液２９を回収槽６６に落とし、回収する。回収槽６６と供給用の貯蔵槽１９を連結させ、最終的に現像液２９が貯蔵槽１９に貯えられるようにしてもよい。
【０１９０】
現像回収ポンプ２１を停止し、ポンプ内を現像液２９が流れるようにする。現像液回収用の現像剤流路２０内の現像液２９が少なくなるよう所定の時間だけ現像回収ポンプ２１を駆動させるよう制御してもよい。
【０１９１】
現像回収ポンプ２１を停止後、バルブ６７を開放させるよう制御し、現像液回収用の現像剤流路２０内に重力によって溜まる現像液２９を回収槽６８に落とし、回収する。
【０１９２】
同様に、クリーニング回収ポンプ２４、及び廃液回収ポンプ２７を停止し、各ポンプ内を現像液２９が流れるようにする。クリーニング回収用の現像剤流路２５及び廃液回収用の現像剤流路２８内の現像液２９が少なくなるよう所定の時間だけ、それぞれのポンプを駆動させるよう制御してもよい。
【０１９３】
クリーニング回収ポンプ２４を停止後、バルブ６９・バルブ７１を開放させるよう制御し、現像剤流路２５内に重力によって溜まる現像液２９を回収槽７０・回収槽７２に落とし、回収する。
【０１９４】
廃液回収ポンプ２７を停止後、バルブ７３を開放させるよう制御し、現像剤流路２６内に重力によって溜まる現像液２９を回収槽７４に落とし、回収する。
【０１９５】
全てのバルブを開放した後、電源をＯＦＦにし、湿式画像形成装置を停止させる。
なお、各ポンプは、しごきローラを、現像剤流路を変形させない位置にするなど現像剤流路内に障害物がない設定が可能なチューブポンプを使用することが望ましい。
【０１９６】
＜現像液の供給と回収のフロー＞
図１４は、本実施形態に係る湿式画像形成装置における現像液の流れを制御する手順を示すフローチャートである。図１４を用いて、本実施形態に係る湿式画像形成装置における画像形成とその休止状態に入るときの現像液の流れを制御する手順を説明する。また適時、図１２、図１３も参照する。
【０１９７】
＜装置駆動開始＞
まず湿式画像形成装置の電源部４０に電源を投入する（ステップＳ１１）。
【０１９８】
続いて、画像形成装置の休止中に空になっていた現像液供給用の現像剤流路１７に現像液を満たすため、開放になっている各バルブを閉めて（ステップＳ１２）、現像液送排出電源部３３をＯＮにし（ステップＳ１３）、現像供給ポンプ１８を所定の時間駆動させる（ステップＳ１４及びステップＳ１５）。
【０１９９】
現像器５に現像液２９を供給できる状態にして現像供給ポンプ１８を一旦停止する（ステップＳ１６）。
【０２００】
続いて、画像形成開始の工程（ステップＳ２０）、画像形成の工程（ステップＳ３０）、画像形成終了の工程（ステップＳ４０）、そして休止判定の工程（ステップＳ５０）を実行するが、これらは第１の実施形態の場合と同様である。
【０２０１】
またその各工程の詳細手順も、図４（ａ）、（ｂ）そして図５（ａ）、（ｂ）を参照して説明した第１の実施形態の場合と同様であり、説明は繰り返さない。
【０２０２】
装置が休止状態に入るときの、現像剤流路から現像液を回収する工程へと進む。
＜現像剤流路から現像液を回収する工程＞
図１４を参照し、装置が休止状態に入るに際しての、現像剤流路から現像液を回収する工程の手順を説明する。但し、図３の第１の実施形態と同様のステップは説明を略す。
【０２０３】
現像回収ポンプ２１を駆動する（ステップＳ７１）。クリーニング回収ポンプ２４を駆動する（ステップＳ７２）。廃液回収ポンプ２７を駆動する（ステップＳ７３）。これらは図３の第１の実施形態のステップＳ７１からステップＳ７３の工程と同様である。
【０２０４】
上記の各ポンプを、各現像剤流路内に現像液２９が少ない状態にするまでの所定時間作動させる（ステップＳ７４；ＮＯ）。
【０２０５】
所定時間経過後（ステップＳ７４；ＹＥＳ）、上記の各ポンプの駆動を停止する（ステップＳ７６からステップＳ７８）。これらは図３の第１の実施形態のステップＳ７６からステップＳ７８の工程と同様である。
【０２０６】
閉められていた各バルブを開放する（ステップＳ８１）。これにより、各現像剤流路内の各バルブ周辺に滞留した現像液２９を流出させ、それぞれの回収槽に落として回収する。
【０２０７】
現像液送排出電源部３３をＯＦＦにする（ステップＳ８２）。最後に電源部４０をＯＦＦにして終了となる（ステップＳ８３）。すなわち、次に画像形成動作の要求が入るまで、装置は休止状態に入る。
【０２０８】
上述した各実施形態に示したように、本発明によれば、現像装置への現像液供給、回収のための現像剤流路を有する湿式画像形成装置において、画像形成動作の休止時、装置が長期間放置される前に、現像剤流路内の現像液を貯蔵槽側に回収し、現像剤流路を空にすることができる。
【０２０９】
これにより、休止期間中の動作を必要とせず、コストを要する装置の追加や処理プロセスの追加も最小にとどめ、経済的で簡易に、休止期間中の現像剤流路内壁へのトナー付着を防止することができる湿式画像形成装置を提供することができる。
【０２１０】
なお本発明の範囲は、上記実施形態に限定されるものではない。本発明の趣旨を逸脱しない限り、それらの変更された形態もその範囲に含むものである。
【０２１１】
＜付記＞
上記の実施形態及びその変形例の一部又は全部は、以下の付記のようにも記載され得るが、以下に限定されるものではない。
【０２１２】
＜付記１＞
キャリヤ液にトナー粒子を分散させた現像液を用いてトナー現像を行う湿式の現像装置を備えた湿式画像形成装置において、
上記現像液を貯蔵または回収する貯蔵槽と、
上記現像液を上記貯蔵槽から上記現像装置、及び上記現像装置から上記貯蔵槽に導くための現像剤流路と、を有し、
画像形成動作の休止時に上記現像剤流路内の現像液を上記貯蔵槽側に回収することを特徴とする湿式画像形成装置。
【０２１３】
＜付記２＞
上記現像剤流路中に配置され、上記現像剤流路内の圧力を上記現像装置側と上記貯蔵槽側とで異ならせるための圧力変更手段を有し、
上記圧力変更手段により、上記貯蔵槽側の圧力を上記現像装置側より低くすることで、上記現像剤流路内の現像液を上記貯蔵槽側に回収することを特徴とする付記１に記載の湿式画像形成装置。
【０２１４】
＜付記３＞
上記圧力変更手段は、回転方向により加圧と減圧の変更が可能なポンプであり、
上記ポンプを加圧から減圧に変えることで、上記現像剤流路内の上記貯蔵槽側の圧力を上記現像装置側より低くすることを特徴とする付記２に記載の湿式画像形成装置。
【０２１５】
＜付記４＞
上記現像剤流路内の圧力を、上記現像装置側と上記貯蔵槽側とで異ならせるための圧力変更手段と、
上記現像剤流路の上記現像装置側に配置された経路変更手段と、を有し、
上記経路変更手段により、上記現像剤流路の上記現像装置側を切断して、上記圧力変更手段と接続し、
上記圧力変更手段により、上記現像装置側の圧力をより高くすることで、上記現像剤流路内の現像液を上記貯蔵槽側に回収することを特徴とする付記１に記載の湿式画像形成装置。
【０２１６】
＜付記５＞
上記圧力変更手段は、空気を圧縮して高圧を発生させる空気圧縮ポンプであり、
上記経路変更手段は、切換弁であることを特徴とする付記４に記載の湿式画像形成装置。
【０２１７】
＜付記６＞
上記現像液を上記貯蔵槽から上記現像装置、及び上記現像装置から上記貯蔵槽に導くための現像剤流路間をバイパス流路で接続し、上記現像装置を経由しない経路を形成する経路変更手段と、
上記現像剤流路中に設置された圧力変更手段と、を有し、
上記経路変更手段により形成された上記現像装置を経由しない経路において、上記圧力変更手段により上記現像剤流路と上記バイパス流路内の現像液を貯蔵槽に回収することを特徴とする付記１に記載の湿式画像形成装置。
【０２１８】
＜付記７＞
上記圧力変更手段は、上記現像装置から上記貯蔵槽に導くための現像剤流路中に設置されたポンプであり、
上記経路変更手段は、切換弁であることを特徴とする付記６に記載の湿式画像形成装置。
【０２１９】
＜付記８＞
上記現像剤流路中において、上記現像装置側、上記貯蔵槽側の両側より流路が低くなっているＵ字形状の底の部分に設けた、上記現像剤流路を開放するための経路変更手段と、
該経路変更手段の下方に設けた、上記現像液を回収する回収槽と、を有し、
上記経路変更手段を開放することで、上記現像剤流路内の現像液を上記回収槽に回収することを特徴とする付記１に記載の湿式画像形成装置。
【０２２０】
＜付記９＞
上記経路変更手段はバルブであり、該バルブを開放することで、重力により上記現像剤流路内の現像液が流出していくように、上記現像剤流路中に配置されていることを特徴とする付記８に記載の湿式画像形成装置。
【符号の説明】
【０２２１】
１７  （現像液供給用の）現像剤流路、１８  現像供給ポンプ、１９  （供給用の）貯蔵槽、２０  （現像液回収用の）現像剤流路、２１  現像回収ポンプ、２２  （回収用の）貯蔵槽、２３  （クリーニング回収用の）現像剤流路、２４  クリーニング回収ポンプ、２５  （クリーニング回収用の）貯蔵槽、２６  （廃液回収用の）現像剤流路、２７  廃液回収ポンプ、２８  （廃液回収用の）貯蔵槽、２９  現像液、５９  空気圧縮ポンプ、６１  バイパス流路。
【図１】
0005120512.tif 000002
【図２】
0005120512.tif 000003
【図３】
0005120512.tif 000004
【図４】
0005120512.tif 000005
【図５】
0005120512.tif 000006
【図６】
0005120512.tif 000007
【図７】
0005120512.tif 000008
【図８】
0005120512.tif 000009
【図９】
0005120512.tif 000010
【図１０】
0005120512.tif 000011
【図１１】
0005120512.tif 000012
【図１２】
0005120512.tif 000013
【図１３】
0005120512.tif 000014
【図１４】
0005120512.tif 000015